(57)【要約】【課題】本開示は、レンズ鏡筒の小型化を目的としたものである。【解決手段】レンズ鏡筒は、光軸の周方向に設けられた２つのカムフォロアと、光軸方向に沿って設けられる２つのガイド突起と、を有する移動枠と、前記移動枠の２つのカムフォロアが係合される２つのカム溝を有するカム枠と、前記２つのガイド突起が係合される１つのガイド溝と、を有するガイド枠と、を備える。そして、２つのカムフォロアと、２つのガイド突起とで、移動枠のカム枠及びガイド枠に対するチルト規制を実現する。【選択図】図１０
2015028605.tif 000002
【特許請求の範囲】
【請求項１】
光軸の周方向に設けられた２つのカムフォロアと、光軸方向に沿って設けられる２つのガイド突起と、を有する移動枠と、
前記移動枠の２つのカムフォロアが係合される２つのカム溝を有するカム枠と、
前記２つのガイド突起が係合される１つのガイド溝と、を有するガイド枠と、
を備えるレンズ鏡筒。
【請求項２】
前記移動枠は、前記ガイド突起が設けられた箇所とは前記光軸の周方向で対向する位置に設けられる別のガイド突起を更に有する、
請求項１に記載のレンズ鏡筒。
【請求項３】
前記２つのカムフォロアを結ぶ光軸方向の位置と、前記移動枠の重心の光軸方向における位置とが実質的に一致する、
請求項１に記載のレンズ鏡筒。
【請求項４】
前記光軸方向において、前記移動枠の重心は、前記２つのガイド突起が設けられた箇所の間に位置する、
請求項１に記載のレンズ鏡筒。
【請求項５】
前記光軸方向において、前記２つのカムフォロアは、前記２つのガイド突起が設けられた箇所の間に位置する、
請求項１に記載のレンズ鏡筒。
【発明の詳細な説明】
【技術分野】
【０００１】
本開示は、レンズ鏡筒に関する。
【背景技術】
【０００２】
特許文献１は、レンズ鏡筒を開示する。特許文献１のレンズ鏡筒は、複数のレンズ群間の偏心誤差を少なくするための技術が開示されている。
【先行技術文献】
【特許文献】
【０００３】
【特許文献１】特開２００１−２１５３９０号公報
【発明の概要】
【発明が解決しようとする課題】
【０００４】
本開示は、レンズ鏡筒の小型化を目的とする。
【課題を解決するための手段】
【０００５】
本開示におけるレンズ鏡筒は、光軸の周方向に設けられた２つのカムフォロアと、光軸方向に沿って設けられる２つのガイド突起と、を有する移動枠と、前記移動枠の２つのカムフォロアが係合される２つのカム溝を有するカム枠と、前記２つのガイド突起が係合される１つのガイド溝と、を有するガイド枠と、を備える。
【発明の効果】
【０００６】
本開示におけるレンズ鏡筒は、２つのカムフォロアと２つのガイド突起とで移動枠のカム枠及びガイド枠に対するチルト規制を行い、より小型化が実現できる。
【図面の簡単な説明】
【０００７】
【図１】実施の形態１におけるレンズ鏡筒の斜視図
【図２】実施の形態１におけるレンズ鏡筒の分解斜視図
【図３】実施の形態１における２群レンズユニット２００の分解斜視図
【図４】実施の形態１における２群レンズ枠２２０の形状を示す説明図
【図５】実施の形態１における直進ガイド枠３００の形状を示す説明図
【図６】実施の形態１におけるカム枠５００の内径展開図
【図７】実施の形態１における６群レンズユニット９００の形状を示す説明図
【図８】実施の形態１における２群レンズユニット２００と直進ガイド枠３００とカム枠５００との関係を示す説明図
【図９】（Ａ）〜（Ｄ）は実施の形態１における各レンズユニットのカムフォロアとカム枠５００の各カム溝との関係を示す説明図
【図１０】（Ａ）及び（Ｂ）は実施の形態１における２群レンズ枠２２０とその重心の位置との関係を示す説明図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図１〜１０を用いて、実施の形態１を説明する。
［１．レンズ鏡筒の構成］
図１は、レンズ鏡筒の斜視図である。図１が示すレンズ鏡筒はデジタルスチルカメラ（図示省略）に固定される。
【００１１】
図２は、レンズ鏡筒の分解斜視図である。レンズ鏡筒は、撮像素子に光を結像させる光学系をズーミング可能に保持する。実施の形態１では、便宜上、図２に示すように、光軸をＺ軸とおいて、光軸と垂直面内における所定方向をＸ軸、Ｘ軸と垂直な方向をＹ軸と定義している。なお、光軸に平行な方向を「光軸方向」、光軸方向に垂直な方向を「径方向」、光軸を中心とする円に沿った方向を「周方向」と称する。また、「径方向」のうち、光軸側への向きを「内径方向」、光軸から離れる向きを「外径方向」と称する。光軸は、レンズ鏡筒を構成する各枠の軸心と略一致する。
【００１２】
図２に示すように、レンズ鏡筒は、１群レンズユニット１００、２群レンズユニット２００、直進ガイド枠３００、フォーカスモータユニット４００、カム枠５００、３群レンズユニット６００、４群レンズユニット７００、５群レンズユニット８００、６群レンズユニット９００、マスターフランジ１０００、ズームモータユニット１１００、撮像素子ユニット１２００、フレキシブルプリント基板１３００を備える。
【００１３】
１群レンズユニット１００は、略円筒状であり、ズームを行うためのレンズが固定されている。１群レンズユニット１００は、内周面にガイド溝及び１群カムフォロアを有する。１群レンズユニット１００のガイド溝は、直進ガイド枠３００のフランジ部３１０に形成された直進突起と係合し、１群レンズユニット１００は周方向への回転を規制され、光軸方向への移動を案内される。また、１群カムフォロアは、カム枠５００の１群カム溝５１１と係合する。カム枠５００の回転により１群カムフォロアが１群カム溝５１１に案内され、１群レンズユニット１００が光軸方向に移動する。
【００１４】
図３は、２群レンズユニット２００の分解斜視図である。２群レンズユニット２００は、２群レンズ枠２２０、遮光シート２１０、及びズームを行うためのレンズＬ４、Ｌ５、Ｌ６を備える。２群レンズ枠２２０は、略円筒状であり、レンズＬ４、Ｌ５、Ｌ６が固定される。また、２群レンズ枠２２０の被写体側には、鏡筒内での不要な反射を抑えるため、反射防止処理を施した遮光シート２１０が固定される。
【００１５】
図４は、２群レンズ枠２２０の形状を示す説明図である。２群レンズ枠２２０は、外周面に２群カムフォロア２２１及び２２２を有する。２群カムフォロア２２１、２２２は、直進ガイド枠３００の２群ガイド溝３０１、３０２にそれぞれ挿通され、カム枠５００の内周面に形成された２群カム溝５０１、２群カム溝５０２と係合する。カム枠５００の構成については後述する。２群レンズユニット２００は、カム枠５００の回転により、２群カムフォロア２２１、２２２が２群カム溝５０１、５０２に案内され、光軸方向に移動する。２群レンズ枠２２０は、移動枠の一例である。
【００１６】
直進ガイド枠３００は、図２に示すように、略円筒状であり、像面側の外周面にフォーカスモータユニット４００を保持する。直進ガイド枠３００は、被写体側の端部に、外径方向に立設されたフランジ部３１０を有する。フランジ部３１０には、外径方向に立設された直進突起が形成されている。直進突起は、１群レンズユニット１００の内周面に形成されたガイド溝と係合し、１群レンズユニット１００を直進案内する。つまり、１群レンズユニット１００は、直進ガイド枠３００に回転規制された状態で、光軸方向に移動可能に保持される。
【００１７】
図５は、直進ガイド枠３００の形状を示す説明図である。図５に示すように、直進ガイド枠３００は、内周面から外周面に貫通した２群ガイド溝３０１、３０２を有する。２群ガイド溝３０１、３０２は、直進ガイド枠３００の被写体側の端部から像面側に向かって光軸方向に形成されている。また、直進ガイド枠３００は、図５に示すように、２本の３−５群ガイド溝３０５、６群ガイド溝３０６及び３−５−６群ガイド溝３０７を備える。３−５群ガイド溝３０５、６群ガイド溝３０６及び３−５−６群ガイド溝３０７は、いずれも内周面から外周面に貫通し、像面側の端部から被写体側に向かって光軸方向に形成されている。つまり、像面側の端部から形成されるガイド溝は、全部で４本ある。ここで、１本の３−５−６群ガイド溝３０７には、３群レンズユニット６００、５群レンズユニット８００、６群レンズユニット９００のそれぞれのカムフォロアが挿通される。即ち、レンズ鏡筒は、直進ガイド枠３００に設けられた１本のガイド溝に対して、３つのレンズユニットのそれぞれのカムフォロアが挿通可能に構成される。そのため、直進ガイド枠３００に設けられるガイド溝の数を減らすことができ、レンズ鏡筒の小型化が可能になる。
【００１８】
さらに、直進ガイド枠３００には、その外周側にカム枠５００が嵌合する。カム枠５００は、直進ガイド枠３００に対し、光軸方向の移動を規制され、光軸回りに回転可能に保持される。
【００１９】
カム枠５００は、図２に示すように、外周面に、１群カム溝５１１及び被駆動ギア５１２を有する。被駆動ギア５１２は、像面側に形成されている。
【００２０】
図６は、カム枠５００の内径展開図である。カム枠５００は、内周面に、被写体側から、２群カム溝５０１及び５０２、３群カム溝５０３を３本、５群カム溝５０５を３本、６群カム溝５０６及び６群カム溝５０７を有する。
【００２１】
図２に示す３群レンズユニット６００は、像ぶれの補正を行う補正レンズ及び補正レンズを駆動する像ぶれ補正装置を保持する。３群レンズユニット６００は、補正レンズを光軸の垂直面内で移動可能に保持する。３群レンズユニット６００は、絞り及びシャッターの機能を有する。
【００２２】
３群レンズユニット６００は、外径方向へ突出した３つの３群カムフォロア６２１を有し、カム枠５００の回転により、カム枠５００に対して光軸方向に移動する。３群カムフォロア６２１のうち、２つが、直進ガイド枠３００の３−５群ガイド溝３０５（図５参照）に挿通され、１つが、直進ガイド枠３００の３−５−６群ガイド溝３０７（図５参照）に挿通される。そして、３つの３群カムフォロア６２１は、カム枠５００の３群カム溝５０３（図６参照）に係合される。カム枠５００の回転により３群カムフォロア６２１が３群カム溝５０３に案内され、３群レンズユニット６００は、光軸方向に移動する。
【００２３】
４群レンズユニット７００は、フォーカス調整を行うためのレンズを保持する。４群レンズユニット７００は、フォーカス調整を行うために、フォーカスモータユニット４００により光軸方向に移動する。フォーカスモータユニット４００は、リードスクリュー及びリードスクリューを回転駆動するフォーカスモータを有する。リードスクリューは、フォーカスモータのモータ軸に直結される。４群レンズユニット７００は、リードスクリューと係合されるラックを有する。４群レンズユニット７００は、リードスクリューの回転駆動により、光軸方向に移動される。
【００２４】
５群レンズユニット８００は、ズームを行うためのレンズを保持する。５群レンズユニット８００は、外径方向へ突出した３つの５群カムフォロア８２１を有する。５群カムフォロア８２１の２つが、直進ガイド枠３００の２本の３−５群ガイド溝３０５（図５参照）にそれぞれ挿通され、１つが、３−５−６群ガイド溝３０７（図５参照）に挿通する。そして、３つの５群カムフォロア８２１は、カム枠５００の３本の５群カム溝５０５（図６参照）にそれぞれ係合する。カム枠５００の回転により５群カムフォロア８２１が５群カム溝５０５に案内され、５群レンズユニット８００は、光軸方向に移動する。
【００２５】
図７は、６群レンズユニット９００の形状を示す説明図である。６群レンズユニット９００は、ズームを行うためのレンズ及びレンズを保持する６群レンズ枠９２０を備える。６群レンズユニット９００は、外径方向へ突出した６群カムフォロア９２１及び９２２を有する。６群カムフォロア９２１は、直進ガイド枠３００の３−５−６群ガイド溝３０７（図５参照）に挿通し、６群カムフォロア９２２は、直進ガイド枠３００の６群ガイド溝３０６（図５参照）に挿通する。そして、６群カムフォロア９２１、９２２は、カム枠５００の２つの６群カム溝５０６、５０７（図６参照）にそれぞれ係合する。カム枠５００の回転により６群カムフォロア９２１、９２２が６群カム溝５０６、５０７に案内され、６群レンズユニット９００は、光軸方向に移動する。６群レンズ枠９２０は、移動枠の一例である。
【００２６】
マスターフランジ１０００は、カメラ本体に取り付けられる部材である。マスターフランジ１０００は、略円筒状であり、その像面側の端面に撮像素子ユニット１２００が取り付けられる。また、マスターフランジ１０００は、直進ガイド枠３００及びズームモータユニット１１００を保持する。ズームモータユニット１１００は、マスターフランジ１０００の側面に取り付けられる。
【００２７】
ズームモータユニット１１００は、駆動ギアとモータを備える。モータを回転駆動すると駆動ギアが回転する。駆動ギアは、カム枠５００の被駆動ギア５１２と噛み合う。モータにより駆動ギアが回転されることにより、カム枠５００が回転駆動される。
【００２８】
撮像素子ユニット１２００は、撮像素子を備える。撮像素子は、複数の光学素子で構成された光学系により結像された光を電気信号に変換する。
【００２９】
フレキシブルプリント基板１３００は、フォーカスモータユニット４００、３群レンズユニット６００、ズームモータユニット１１００等のアクチュエータ、位置検出センサ等を本体回路と電気的に接続する。
【００３０】
以上のように、レンズ鏡筒は、カム枠５００を所定の角度に回転することにより、１群レンズユニット１００、２群レンズユニット２００、３群レンズユニット６００、５群レンズユニット８００、６群レンズユニット９００が所定の位置に移動し、ズーミングを行う。また、レンズ鏡筒は、フォーカスモータユニット４００による駆動により４群レンズユニット７００が所定の位置に移動し、フォーカス調整を行う。
［２．カムの構成］
次に、図４から図９を用いて、２群レンズユニット２００及び６群レンズユニット９００を光軸方向に移動させる機構について説明する。
【００３１】
初めに、２群レンズ枠２２０について説明する。図４に示すように、２群レンズ枠２２０の外周には、周方向に１８０°対向した位置に、外径方向へ突出した２群カムフォロア２２１及び２２２が設けられる。周方向に１８０°対向して設けられた２群カムフォロア２２１、２２２が、図６に示す２群カム溝５０１、５０２と係合することにより、図４に示すＹ軸回りの傾きが規制される。
【００３２】
２群レンズ枠２２０は、略円筒形状であるが、２群カムフォロア２２２側に、外周部の一部が外周部から像面側に向かって延長する延設部２２９が設けられる。また、図３、図４に示すように、２群カムフォロア２２１、２２２の位置には、外周面から外径方向へ突出した凸部２３１、２３２がそれぞれ設けられる。２群カムフォロア２２１側の凸部２３１は、光軸方向に２群レンズ枠２２０の外周部の被写体側端部から像面側端部まで設けられる。２群カムフォロア２２２側の凸部２３２は、光軸方向に２群レンズ枠２２０の外周部の被写体側端部から延設部２２９の像面側端部まで設けられる。
【００３３】
図３、図４に示すように、凸部２３１、２３２の２群カムフォロア２２１、２２２の近傍には、規制突起２３３、２３４が設けられる。また、延設部２２９に形成された凸部２３２の像面側には、規制突起２３５が設けられる。規制突起２３３、２３４、２３５は、凸部２３１、２３２の外周側端部の一部が、一定の幅で周方向の両側に延伸した形状である。
【００３４】
また、２群カムフォロア２２１、２２２の付近の凸部２３１、２３２には、それぞれガイド突起２３６、２３７が設けられ、延設部２２９に形成された凸部２３２の像面側には、ガイド突起２３８が設けられる。ガイド突起２３６、２３７、２３８は、凸部２３１、２３２の一部が、光軸方向及び径方向に一定の幅で、周方向の両側に僅かに突出した形状である。
【００３５】
本実施の形態１では、ガイド突起２３６、２３７、２３８の光軸方向の幅は、規制突起２３３、２３４、２３５の光軸方向の幅よりも小さい。また、ガイド突起２３６、２３７、２３８の周方向に突出した高さは、規制突起２３３、２３４、２３５の周方向に延伸した高さよりも小さい。
【００３６】
また、ガイド突起２３６、２３７は、規制突起２３３、２３４の径方向内周側であって、被写体側に形成される。ガイド突起２３８は、延設部２２９に形成された凸部２３２の像面側の端部に形成される。
【００３７】
２群レンズ枠２２０のガイド突起２３６は、図５に示す直進ガイド枠３００の２群ガイド溝３０１と嵌合し、ガイド突起２３７、２３８は、直進ガイド枠３００の２群ガイド溝３０２と嵌合する。２群ガイド溝３０２は、２群レンズ枠２２０の延設部２２９に設けられるガイドが光軸方向の像面側に長いのに合わせて、２群ガイド溝３０１よりも光軸方向の像面側に長く形成されている。
【００３８】
次に、６群レンズ枠９２０について説明する。図７に示すように、６群レンズ枠９２０の外周には、周方向に１８０°対向した位置に、径方向に外周面から突出した６群カムフォロア９２１及び９２２が設けられる。周方向に１８０°対向して設けられた６群カムフォロア９２１、９２２が、図６に示す６群カム溝５０６、５０７と係合することにより、図４に示すＹ軸回りの傾きが規制される。
【００３９】
６群レンズ枠９２０は、６群カムフォロア９２２側に、外周部の一部が外周部から被写体側に向かって延長する延設部９２９が設けられる。また、図７に示すように、６群カムフォロア９２１、９２２の位置には、外周面から外径方向に突出した凸部９３１、９３２がそれぞれ設けられる。６群カムフォロア９２１側の凸部９３１は、光軸方向に６群レンズ枠９２０の外周部の被写体側端部から像面側端部まで設けられる。６群カムフォロア９２２側の凸部９３２は、光軸方向に６群レンズ枠９２０の外周部の像面側端部から延設部９２９の被写体側端部まで設けられる。
【００４０】
図７に示すように、凸部９３１、９３２の６群カムフォロア９２１、９２２の近傍には、規制突起９３３、９３４がそれぞれ設けられる。また、延設部９２９に形成された凸部９３２の被写体側には、規制突起９３５が設けられる。規制突起９３３、９３４、９３５は、凸部９３１、９３２の外周側端部の一部が、一定の幅で周方向の両側に延伸した形状である。
【００４１】
また、６群カムフォロア９２１、９２２の付近の凸部９３１、９３２の像面側端部には、それぞれガイド突起９３６、９３７が設けられ、延設部９２９に形成された凸部９３２の被写体側端部には、ガイド突起９３８が設けられる。ガイド突起９３６、９３７、９３８は、凸部９３１、９３２の一部が、光軸方向及び径方向に一定の幅で、周方向の両側に向かって僅かに突出した形状である。
【００４２】
本実施の形態１では、ガイド突起９３６、９３７、９３８の光軸方向の幅は、規制突起９３３、９３４、９３５の光軸方向の幅よりも小さい。また、ガイド突起９３６、９３７、９３８の周方向に突出した高さは、規制突起９３３、９３４、９３５の周方向に延伸した高さよりも小さい。
【００４３】
また、ガイド突起９３６、９３７は、６群カムフォロア９２１、９２２及び規制突起９３３、９３４よりも、光軸方向の像面側に形成される。ガイド突起９３８は、規制突起９３５よりも、光軸方向の被写体側に形成される。
【００４４】
６群レンズ枠９２０のガイド突起９３６は、図５に示す直進ガイド枠３００の３−５−６群ガイド溝３０７と嵌合し、ガイド突起９３７、９３８は、直進ガイド枠３００の６群ガイド溝３０６と嵌合する。
【００４５】
図８は、２群レンズユニット２００と直進ガイド枠３００とカム枠５００との関係を示す説明図である。図８は、２群レンズユニット２００の２群カムフォロア２２２の付近を拡大して示している。直進ガイド枠３００の２群ガイド溝３０２は、図８に示すように、周方向の溝幅が径方向に２段階に分かれており、内周側の溝幅が外周側の溝幅より狭い。２群レンズ枠２２０のガイド突起２３７及び２３８は、２群ガイド溝３０２の内周側の溝幅の狭い部分で嵌合する。また、外周側の溝幅が広い部分には、径方向、周方向ともわずかな隙間を開けて、規制突起２３４及び２３５が通過する構成となっている。
【００４６】
図８は、ガイド突起２３７が嵌合する２群ガイド溝３０２の付近を図示しているが、２群ガイド溝３０１、６群ガイド溝３０６、３−５−６群ガイド溝３０７についても同様である。即ち、２群ガイド溝３０１の内周側の溝幅の狭い部分には、ガイド突起２３６が嵌合し、外周側の溝幅が広い部分には、規制突起２３３が通過する。また、６群ガイド溝３０６の内周側の溝幅の狭い部分には、６群レンズ枠９２０のガイド突起９３７及び９３８が嵌合し、外周側の溝幅が広い部分には、６群レンズ枠９２０の規制突起９３４及び９３５が通過する。また、３−５−６群ガイド溝３０７の内周側の溝幅の狭い部分には、６群レンズ枠９２０のガイド突起９３６が嵌合し、外周側の溝幅が広い部分には、規制突起９３３が通過する。
【００４７】
このように狭い範囲で部分的に嵌合させることは、各部品の寸法の調整をし易くし、がたつきを少なくできるという効果がある。また、ガイド突起２３７とガイド突起２３８との光軸方向の距離を長くすることにより、同じ隙間でもＸ軸回りの傾きを小さくすることができる。さらに、ガイド突起２３７やガイド突起２３８に対して、ガイド突起２３６を設けることにより、Ｚ軸回りの傾きを小さくすることができる。また、これらは、６群レンズ枠９２０のガイド突起９３６、９３７、９３７についても同様である。
【００４８】
上記のように、２本の２群カムフォロア２２１、２２２によりＹ軸回りの傾きを規制し、ガイド突起２３７と２３８によりＸ軸回りの傾きを規制する。この様に、各方向の傾き規制を分けて設けることにより、シンプルな構成ながら、各部品の寸法調整が比較的容易で、高い精度で２群レンズ枠２２０を移動させることができる。さらに、ガイド突起２３６により、Ｚ軸回りの傾きを規制することができる。また、６群カムフォロア９２１、９２２及び６群レンズ枠９２０のガイド突起９３６、９３７、９３８についても同様のことが言える。
【００４９】
加えて、規制突起２３３、２３４、２３５は、落下等、鏡筒に大きな力が加わった際に２群レンズ枠２２０が直進ガイド枠３００、カム枠５００から外れるのを防止する。同様に、規制突起９３３、９３４、９３５は、落下等、鏡筒に大きな力が加わった際に６群レンズ枠９２０が直進ガイド枠３００、カム枠５００から外れるのを防止する。
【００５０】
次に、カム枠５００と各レンズユニットとの関係について説明する。図６に示すように、３群カム溝５０３は、カム枠５００の全周に３本設けられる。５群カム溝５０５も、３群カム溝５０３と同様に、カム枠５００の全周に３本設けられる。一方、２群レンズユニット２００を移動させる２群カム溝は、全周に２本（２群カム溝５０１、５０２）設けられる。同様に、６群レンズユニット９００を移動させる６群カム溝は、全周に２本（６群カム溝５０６、５０７）設けられる。
【００５１】
このように２群カム溝及び６群カム溝をそれぞれ２本で構成する理由は、３本にすると、以下のような不具合が生じるからである。
【００５２】
例えば、カム枠の径を変えず、２群カム溝の傾斜角度も変えずに構成した場合、２群カム溝同士が交差する。２群カム溝同士が交差すると、カム溝同士で溝幅や溝の深さが同じであるため、交差する場所でのがたつきやレンズ枠の外れが生ずる可能性がある。
【００５３】
また、例えば、カム枠の径を変えず、２群カム溝の傾斜角度をきつくして、３本の２群カム溝同士が交差しないようにした場合、カム枠を回転させる際の負荷が大きくなる。
【００５４】
さらに、例えば、カム枠の径を大きくして、２群カム溝の傾斜角度を変えずに、３本の２群カム溝同士が交差しないようにした場合、レンズ鏡筒の径が大きくなる。
【００５５】
このような不具合があるため、実施の形態１では、カム枠５００の２群カム溝を、２本（２群カム溝５０１、５０２）としており、２群レンズ枠２２０に設けられるカムフォロアを、２本（２群カムフォロア２２１、２２２）としている。これによって、レンズ鏡筒の負荷を低減し、レンズ鏡筒サイズの小型化に有利な構成を実現している。上記は、２群カム溝５０１、５０２についての説明であるが、６群カム溝５０６、５０７についても同様である。
【００５６】
なお、２群レンズユニット移動用として２本の２群カム溝（２群カム溝５０１、５０２）と３群レンズユニットの移動用として３本の３群カム溝５０３とを設けると、溝の本数が異なるため、３群カム溝５０３の挿入部５０３ａは、どうしても２群カム溝５０１、５０２と交差してしまう。
【００５７】
そこで、実施の形態１では、図９（Ａ）、図９（Ｂ）に示すように、２群カム溝５０１、５０２は、３群カム溝５０３より深く形成される。また、２群カムフォロア２２１、２２２の先端形状を段付状の形状として、２群カムフォロア２２１、２２２は２群カム溝５０１、５０２の深い部分のみで摺動する。これにより、２群カム溝５０１、５０２が挿入部５０３ａと交差する部分で、ガタツキ、引っ掛かり等の発生が抑制される。
【００５８】
同様に、図９（Ｃ）、図９（Ｄ）に示すように、６群カム溝５０６、５０７は５群カム溝５０５より深く形成され、６群カムフォロア９２１、９２２は、６群カム溝５０６、５０７の深い部分のみで摺動する。そして、６群カム溝５０６、５０７が５群カム溝５０５の挿入部と交差する部分で、ガタツキ、引っ掛かり等の発生が抑制される。
【００５９】
以上のように、本構成によれば、シンプルな構成でレンズユニットを高精度に移動でき、さらに、鏡筒負荷低減、鏡筒小型化にも有利である。
［３．最大限の効果を生じさせるための条件］
次に、上記で説明した本レンズ鏡筒の構成による効果を最大限に引き出す条件について、図１０を用いて説明する。図１０の（Ａ）及び（Ｂ）は、２群レンズ枠２２０とその重心の位置との関係を示す説明図である。図１０（Ａ）は図４の左側に示す左側面図に相当し、図１０（Ｂ）は図４の下側に示す底面図にそれぞれ相当する。図１０（Ａ）に示す矢印は、Ｘ軸回りの傾きの方向を示す。
【００６０】
条件１：
２群カムフォロア２２１と２群カムフォロア２２２とを結ぶ直線と２群レンズ枠２２０の重心との光軸方向の位置がほぼ（略）一致することが好ましい。即ち、２群カムフォロア２２１及び２群カムフォロア２２２の光軸方向の位置は、２群レンズ枠２２０の重心の光軸方向における位置と実質的に一致している。
【００６１】
条件１の効果：
レンズ鏡筒の姿勢変化、落下衝撃等による２群レンズ枠２２０に加わるモーメント力を小さく抑えることができ、延設部２２９の変形や破壊を抑制することができる。また、このことは、特に、延設部２２９の小型化、細形化に寄与する。
【００６２】
条件２：
ガイド突起２３７とガイド突起２３８の光軸方向の位置が、２群レンズ枠２２０の重心を挟む両側にある。即ち、光軸方向において、２群レンズ枠２２０の重心は、ガイド突起２３７の位置とガイド突起２３８の位置との間に位置する。
【００６３】
条件２の効果：
２群カムフォロア２２１及び２２２が水平の姿勢にある場合、２群レンズ枠２２０はガイド突起２３７、ガイド突起２３８及びガイド突起２３６のそれぞれ片側の面である３つの面により直進ガイド枠３００に支持される。２群レンズ枠２２０は、ガタ内での移動だけに留まり、その傾きが抑制される。
【００６４】
条件３：
ガイド突起２３７とガイド突起２３８の光軸方向の位置が、２群カムフォロア２２１及び２２２を挟む両側にある。即ち、光軸方向において、２群カムフォロア２２１及び２２２は、ガイド突起２３７の位置とガイド突起２３８の位置との間に位置する。
【００６５】
条件３の効果：
ズーム時に、カムフォロアの摩擦力により、ガイド突起２３７及び２３８の片側の面に押さえつける力が加わるので、２群レンズ枠２２０は、ガタ内で移動するだけに留まり、その傾きが抑制される。そのため、広角から望遠方向にズームする際と望遠から広角方向にズームする際とにおける２群レンズ枠２２０の傾きの差が抑制される。
【００６６】
条件４：
ガイド突起２３６の光軸方向の位置が、２群カムフォロア２２１と近い。即ち、光軸方向において、２群カムフォロア２２１は、ガイド突起２３６の近傍に位置する。
【００６７】
条件４の効果：
ズーム時、カムフォロアの摩擦力により２群カムフォロア２２１とガイド突起２３６の光軸方向の位置の差によって発生するモーメント力が、小さくなる。広角から望遠方向にズームする際と望遠から広角方向にズームする際とにおける２群レンズ枠２２０の傾きの差が抑制される。
【００６８】
上記条件１〜４は２群レンズ枠２２０における条件として説明であるが、６群レンズ枠９２０についても同様の条件が当てはまる。
【００６９】
以上のように、本開示における技術の例示として、実施の形態を説明した。そのために、添付図面および詳細な説明を提供した。
【００７０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７１】
また、上述の実施の形態は、本開示における技術を例示するためのものであるから、特許請求の範囲またはその均等の範囲において種々の変更、置き換え、付加、省略などを行うことができる。
【産業上の利用可能性】
【００７２】
本開示は、デジタルスチルカメラ、交換レンズ等に利用することが可能である。
【符号の説明】
【００７３】
１００  １群レンズユニット
２００  ２群レンズユニット
２２０  ２群レンズ枠
２２１、２２２  ２群カムフォロア
２２９、９２９  延設部
２３１、２３２、９３１、９３２  凸部
２３３、２３４、２３５、９３３、９３４、９３５  規制突起
２３６、２３７、２３８、９３６、９３７、９３８  ガイド突起
３００  直進ガイド枠
３０１、３０２  ２群ガイド溝
３０６  ６群ガイド溝
３０７  ３−５−６群ガイド溝
４００  フォーカスモータユニット
５００  カム枠
５０１、５０２  ２群カム溝
５０６、５０７  ６群カム溝
６００  ３群レンズユニット
７００  ４群レンズユニット
８００  ５群レンズユニット
９００  ６群レンズユニット
９２０  ６群レンズ枠
９２１、９２２  ６群カムフォロア
１０００  マスターフランジ
１１００  ズームモータユニット
１２００  撮像素子ユニット
１３００  フレキシブルプリント基板
【図１】
2015028605.tif 000003
【図２】
2015028605.tif 000004
【図３】
2015028605.tif 000005
【図４】
2015028605.tif 000006
【図５】
2015028605.tif 000007
【図６】
2015028605.tif 000008
【図７】
2015028605.tif 000009
【図８】
2015028605.tif 000010
【図９】
2015028605.tif 000011
【図１０】
2015028605.tif 000012